(57)【要約】【課題】同時に発音される２音を好適に調律可能な調律装置を提供すること。【解決手段】本発明によれば、ピッチ検出手段により検出されたピッチのうち、第１音名に対応する第１ピッチと、第２音名に対応する第２ピッチとの相対的なピッチの差分値に関する情報を報知可能な報知手段を備えているので、ユーザは、当該報知手段による報知によって、音名表示手段により表示された２音の相対的なピッチの差分値を確認することができ、同時に発音された２音を好適に調律できる。【選択図】図７
2014102323.tif 000002
【特許請求の範囲】
【請求項１】
音を入力するための入力手段と、
同時に発音された２音の混合音が前記入力手段から入力された場合に、当該混合音から、少なくとも２つのピッチを各々独立して検出可能なピッチ検出手段と、
前記ピッチ検出手段により検出されたピッチのうち、１のピッチに最も近い音名を、第１音名として、平均律により決定する第１音名決定手段と、
前記ピッチ検出手段により検出されたピッチのうち、前記１のピッチとは異なるピッチを対象ピッチとし、当該対象ピッチに最も近い音名を、第２音名として、所定の音階により決定する第２音名決定手段と、
前記第１音名および前記第２音名を表示可能な音名表示手段と、
前記ピッチ検出手段により検出されたピッチのうち、前記第１音名に対応する第１ピッチと、前記第２音名に対応する第２ピッチとの相対的なピッチの差分値に関する情報を報知可能な報知手段とを備えていることを特徴とする調律装置。
【請求項２】
前記所定の音階は、平均律音階、または前記第１音名を主音とする純正律音階であることを特徴とする請求項１記載の調律装置。
【請求項３】
前記報知手段による報知を制御する報知制御手段を備え、
前記報知制御手段は、（１）前記第２音名決定手段が平均律により第２音名を決定した場合には、前記相対的なピッチの差分値が、平均律音階による任意の２音それぞれの基準ピッチ間の音程である基準音程Ｈのうち、当該相対的なピッチの差分値に最も近い値を中心とする所定範囲に含まれる場合、あるいは、（２）前記第１音名決定手段により決定された第１音名を純正律音階の主音とし、前記第２音名決定手段がその主音による純正律音階により第２音名を決定した場合には、前記相対的なピッチの差分値が、純正律音階による主音の基準ピッチと純正律音階の前記主音以外の任意の音名の基準ピッチとの間の音程である基準音程Ｊのうち、当該相対的なピッチの差分値に最も近い基準音程を中心とする所定範囲に含まれる場合、前記報知手段による所定の報知を行うことを特徴とする請求項１または２に記載の調律装置。
【請求項４】
前記報知手段による報知を制御する報知制御手段を備え、
前記報知制御手段は、（１）前記第２音名決定手段が平均律により第２音名を決定した場合には、前記相対的なピッチの差分値が、平均律による前記基準音程Ｈのうち、当該相対的なピッチの差分値に最も近い値を中心とする所定範囲から外れる場合、前記相対的なピッチの差分値が、当該相対的なピッチの差分値に最も近い基準音程Ｈに比べて、大きい値であるか、小さい値であるかを区別可能な報知を、前記報知手段に実行させ、あるいは、（２）前記第２音名決定手段が純正律音階により第２音名を決定した場合には、前記相対的なピッチの差分値が、純正律による前記基準音程Ｊのうち、当該相対的なピッチの差分値に最も近い値を中心とする所定範囲から外れる場合、前記相対的なピッチの差分値が、当該相対的なピッチの差分値に最も近い基準音程Ｊに比べて、大きい値であるか、小さい値であるかを区別可能な報知を、前記報知手段に実行させることを特徴とする請求項１から３のいずれかに記載の調律装置。
【請求項５】
前記報知制御手段は、前記相対的なピッチの差分値が、（１）前記第２音名決定手段が平均律により第２音名を決定した場合には、平均律による前記基準音程Ｈのうち、当該相対的なピッチの差分値に最も近い値と、その次に近い値との中間値を中心とする所定範囲に含まれる場合、あるいは、（２）前記第２音名決定手段が純正律音階により第２音名を決定した場合には、純正律による前記基準音程Ｊのうち、当該相対的なピッチの差分値に最も近い値と、その次に近い値との中間値を中心とする所定範囲に含まれる場合、前記報知手段による報知を行わないことを特徴とする請求項４記載の調律装置。
【発明の詳細な説明】
【技術分野】
【０００１】
本発明は、同時に発音された２音のハーモニーを好適に調律可能な調律装置に関する。
【背景技術】
【０００２】
特許文献１には、合奏においてきれいなハーモニーが生じるように、発生される標準楽音との音程（インターバル）に応じて、自分の楽器が採るべき目標ピッチに対して自分のピッチを調律するための調律器が記載されている。具体的に、特許文献１の調律器は、調律すべき楽音として入力された入力楽音の周波数から判別された当該入力楽音の音階音名と、予め設定された、当該入力楽音と和音を構成する標準楽音とのインターバルとから、（１）標準楽音の音階音名を決定した後、当該標準楽音の音階音名に対するピッチ（純正律の主音に対するピッチ）を平均律により決定し、（２）前記決定された純正律の主音に対するピッチに対し、前記予め設定されたインターバルを持つ純正律による基準ピッチを決定し、当該決定された基準ピッチと、入力楽音のピッチとのピッチ誤差をピッチ誤差表示部に表示させる。
【０００３】
かかる特許文献１の調律器によれば、和音を構成する１の音（入力楽音）につき、設定されたインターバルに応じて決定される、調律器から発せられる他方の音（標準楽音）に対して純正律音階に基づいて響かせることができる基準ピッチ（即ち、入力楽音が目標とするピッチ）に対する入力楽音のピッチ誤差を確認できる。よって、ユーザは、ピッチ誤差表示部に表示されたピッチ誤差を確認しながら、当該ピッチ誤差がゼロとなるように入力楽音の調律を行う。
【先行技術文献】
【特許文献】
【０００４】
【特許文献１】特開２００２−１３２２５６号公報
【発明の概要】
【発明が解決しようとする課題】
【０００５】
２音のハーモニーは、各音が音階音名の基準ピッチから多少ずれていたとしても、両音の相対的なピッチ差が、平均律音階、純正律長調音階、または純正律短調音階などの所定の音階に応じた基準ピッチ間の音程（以下、この音程を「基準音程」と称す）であれば、そのハーモニーを、（２音が基準音程を持つという意味において）美しく響かせることができる。よって、例えば、二人のボーカルが同時に歌唱して行うハーモニー練習では、２音の相対的なピッチ差を確認しながら、各ボーカル音の調律を行うことが有用である。しかしながら、特許文献１に記載の調律器は、和音を構成する１音ずつの調律を行うことができるが、同時に発音された２音の相対的なピッチ差を確認することはできないため、ボーカルなどのハーモニー練習の用途には不向きであった。
【０００６】
本発明は、上述した事情を鑑みてなされたものであり、同時に発音される２音のハーモニーを好適に調律可能な調律装置を提供することを目的としている。
【課題を解決するための手段および発明の効果】
【０００７】
この目的を達成するために、請求項１記載の調律装置によれば、同時に発音された２音の混合音から、少なくとも２つのピッチを各々独立して検出可能なピッチ検出手段が設けられており、当該ピッチ検出手段により検出されたピッチのうち、１のピッチに最も近い音名が、第１音名決定手段によって、平均律により第１音名として決定される。一方、ピッチ検出手段により検出されたピッチのうち、前記１のピッチとは異なるピッチ（対象ピッチ）に最も近い音名が、第２音名決定手段によって、所定の音階により第２音名として決定される。請求項１記載の調律装置は、第１音名および第２音名を表示可能な音名表示手段を備えているので、ユーザは、当該音名表示手段の表示を見ることによって、混合音に含まれる２音のピッチに最も近い基準ピッチを持つ音名を確認することができる。さらに、請求項１記載の調律装置は、ピッチ検出手段により検出されたピッチのうち、第１音名に対応する第１ピッチと、第２音名に対応する第２ピッチとの相対的な差分値に関する情報を報知可能な報知手段を備えているので、ユーザは、当該報知手段による報知によって、音名表示手段により表示された２音の相対的なピッチの差分値を確認することができ、同時に発音される２音を好適に調律できる。例えば、ユーザは、二声合唱などのハーモニー練習をする場合に、報知手段による報知に基づいて、各パート間の相対的なピッチの差分値を確認しながら、美しいハーモニーを奏でることができるように、一方のパートのピッチと他方のパートのピッチとの相対的な音程（ピッチ差）を調律することができる。
【０００８】
請求項２記載の調律装置によれば、請求項１記載の調律装置が奏する効果に加え、次の効果を奏する。第２音名決定手段による第２音名の決定は、平均律、または、第１音名を主音とする純正律音階によって行われるので、同時に発音される２音の相対的な音程をより好適に調律できる。
【０００９】
請求項３記載の調律装置によれば、請求項１または２に記載の調律装置が奏する効果に加え、次の効果を奏する。（１）第２音名決定手段が平均律により第２音名を決定した場合には、第１音名に対応する第１ピッチと第２音名に対応する第２ピッチとの相対的なピッチの差分値が、平均律音階による任意の２音それぞれの基準ピッチ間の音程である基準音程Ｈのうち、当該相対的なピッチの差分値に最も近い値を中心とする所定範囲に含まれる場合に、報知手段において所定の報知が行われる。一方、（２）第１音名決定手段により決定された第１音名を純正律音階の主音とし、第２音名決定手段が純正律音階により第２音名を決定した場合には、前記相対的なピッチの差分値が、純正律音階による主音の基準ピッチと純正律音階の主音以外の任意の音名の基準ピッチとの間の音程である基準音程Ｊのうち、当該相対的なピッチの差分値に最も近い基準音程を中心とする所定範囲に含まれる場合に、報知手段において所定の報知が行われる。よって、ユーザは、報知手段による所定の報知がされたか否かによって、２音の相対的なピッチの差分値が、平均律音階又は純正律音階に応じた基準音程に近いか否かを確認することができる。
【００１０】
請求項４記載の調律装置によれば、請求項１から３のいずれかに記載の調律装置が奏する効果に加え、次の効果を奏する。（１）第２音名決定手段が平均律により第２音名を決定した場合には、第１音名に対応する第１ピッチと第２音名に対応する第２ピッチとの相対的な差分値が、平均律による基準音程Ｈのうち、当該相対的なピッチの差分値に最も近い値を中心とする所定範囲から外れる場合に、報知手段において、当該相対的なピッチの差分値が、当該相対的なピッチの差分値に最も近い基準音程Ｈに比べて、大きい値であるか、小さい値であるかを区別可能な報知が行われる。一方、（２）第２音名決定手段が純正律音階により第２音名を決定した場合には、前記相対的なピッチの差分値が、純正律による基準音程Ｊのうち、当該相対的なピッチの差分値に最も近い値を中心とする所定範囲から外れる場合に、報知手段において、当該相対的なピッチの差分値が、当該相対的なピッチの差分値に最も近い基準音程Ｊに比べて、大きい値であるか、小さい値であるかを区別可能な報知が行われる。よって、ユーザは、報知手段による報知に基づいて、２音の相対的なピッチの差分値が、平均律音階又は純正律音階に応じた基準音程のうち、当該相対的なピッチ差に最も近い基準音程に対し、大きいか小さいかを確認することができる。従って、例えば、ユーザは、調律装置に対して同時に各音をそれぞれ発音し、報知手段による報知に基づいて、平均律音階又は純正律音階に応じた基準音程に合うよう、互いのピッチ差を広げたり狭めたりすることによって、ハーモニー練習を行うことができる。
【００１１】
請求項５記載の調律装置によれば、請求項４記載の調律装置が奏する効果に加え、次の効果を奏する。（１）第２音名決定手段が平均律音階により第２音名を決定した場合には、第１音名に対応する第１ピッチと第２音名に対応する第２ピッチとの相対的な差分値が、平均律による基準音程Ｈのうち、当該相対的なピッチの差分値に最も近い値と、その次に近い値との中間値を中心とする所定範囲に含まれる場合、報知手段による報知が行われない。一方、（２）第２音名決定手段が純正律音階により第２音名を決定した場合には、前記相対的なピッチの差分値が、純正律音階による基準音程Ｊのうち、当該相対的なピッチの差分値に最も近い値と、その次に近い値と中間値を中心とする所定範囲に含まれる場合、報知手段による報知が行われない。つまり、検出された２つのピッチの相対的な差分値が、平均律音階又は純正律音階に応じた基準音程からかけ離れた値であることを示す場合には、報知手段による報知がされない。よって、ユーザは、報知手段による報知が行われない場合に、２音のハーモニーが不適切な状態であることを知ることができる。
【図面の簡単な説明】
【００１２】
【図１】（ａ）は、調律装置の概略正面図であり、（ｂ）〜（ｄ）は、音名表示器及び補助表示器における表示の一例を示す模式図である。
【図２】基準ピッチに対する入力音のピッチの差分と、音名表示器における各表示部の輝度との関係の一例を説明する説明図である。
【図３】入力音のピッチに対する各表示部の輝度変化の一例を示すグラフである。
【図４】（ａ）は、平均律音階および長調の純正律音階における半音ごとのセント差を示す図であり、（ｂ）は、平均律音階および長調の純正律音階における各音名の基準ピッチを示す図であり、（ｃ）は、平均律用音名決定テーブルの内容を模式的に示す図である。
【図５】純正律（長調）用音名決定テーブルの内容を模式的に示す図である。
【図６】（ａ）および（ｂ）は、それぞれ、平均律用補助表示テーブルおよび純正律（長調）用補助表示テーブルの内容を模式的に示す図である。
【図７】（ａ）および（ｂ）は、それぞれ、平均律モードおよび純正律モードにおける補助表示器の発光状態の一例を説明する図である。
【図８】（ａ）は、調律装置の電気的構成を示すブロック図であり、（ｂ）は、調律装置の機能を説明するための機能ブロック図である。
【図９】表示処理を示すフローチャートである。
【図１０】第２実施形態の調律装置の機能を説明するための機能ブロック図である。
【図１１】第２実施形態の表示処理を示すフローチャートである。
【図１２】音名の遷移表示の一例を示す図である。
【発明を実施するための形態】
【００１３】
以下、本発明の好ましい実施形態について、添付図面を参照して説明する。まず、図１〜図９を参照して、本発明の第１実施形態を説明する。図１（ａ）は、調律装置１の概略正面図である。調律装置１は、ボーカル（音声）や楽器音などの音を調律するための装置であり、音名表示器２０と、補助表示器２１と、マイク２２と、スピーカ２３と、操作パネル１５とを有する。詳細は後述するが、調律装置１は、ボーカル（歌唱）や管楽器などから同時に発音された２音の混合音がマイク２２から入力された場合に、当該混合音を構成する２音のピッチをそれぞれ検出し、音名表示器２０及び補助表示器２１を、検出された各ピッチに基づき発光させる。特に、補助表示器２１は、検出された各ピッチの相対的な差分（相対的なピッチの差分値）が、平均律音階または純正律音階に応じた基準音程に対してどの程度合っているかを報知可能に構成される。なお、純正律の音階は、主音に対して長調と短調の２種類があるが、ここでは純正律長調のみを扱うものとする。よって、以下「純正律音階」とは、特別な注釈がない限りすべて長調の純正律音階を指すものである。
【００１４】
音名表示器２０は、入力音（被調律音）のピッチに応じた音名を表示するものである。音名表示器２０は、１オクターブを構成する１２個の音名（Ｃ，Ｃ＃，Ｄ，Ｄ＃，Ｅ，Ｆ，Ｆ＃，Ｇ，Ｇ＃，Ａ，Ａ＃，Ｂ）にそれぞれ対応する１２個の表示部２０ａ〜２０ｌから構成される。なお、図面上では、小文字「ｌ（エル）」を全て、筆記体のエルとして表示している。表示部２０ａ〜２０ｌは、１オクターブにおける一端の音名（例えば、Ｃ）と他端の音名（例えば、Ｂ）とが隣り合うように音高順に円周状に配置される。各表示部２０ａ〜２０ｌは、いずれも、音名が表記された半透明のカバーと、そのカバーに覆われたＬＥＤとから構成され、ＬＥＤを点灯させることによって発光させる。
【００１５】
補助表示器２１は、マイク２２から入力された混合音から検出された２音分の各ピッチの差分と、平均律音階または純正律音階に応じた基準音程とのずれ度合いを表示するものである。補助表示器２１は、円周状に配置される表示部２０ａ〜２０ｌの内側に配置され、第１表示部２１ａと、第２表示部２１ｂとを有する。第１表示部２１ａは、検出された２音のピッチ差が、平均律音階または純正律音階に応じた基準音程のうち、当該ピッチ差に最も近い基準音程より大きいことを示す表示部である。第２表示部２１ｂは、検出された２音のピッチ差が、平均律音階または純正律音階に応じた基準音程のうち、当該ピッチ差に最も近い基準音程より小さいことを示す表示部である。なお、以下の説明では、第１表示部２１ａ及び第２表示部２１ｂを、それぞれ、便宜的に、＃表示部２１ａ及び♭表示部２１ｂと称することがある。第１表示部２１ａ及び第２表示部２１ｂは、いずれも、半透明のカバーと、そのカバーに覆われたＬＥＤとから構成され、ＬＥＤを点灯させることによって発光させる。
【００１６】
図１（ｂ）〜（ｄ）は、音名表示器２０及び補助表示器２１における表示の一例を示す模式図である。図１（ｂ）〜（ｄ）では、入力音のピッチに応じて決定された音名（基準音名）が「Ｃ」である場合の例を示す。
【００１７】
本実施形態の調律装置１は、１つの音が入力された場合、基準音名の基準ピッチに対する入力音のピッチの差分に応じて、音名表示器２０を構成する表示部２０ａ〜２０ｌのうち、１または隣接する２つの表示部が所定の明るさで発光するように構成されている。例えば、基準音名「Ｃ」の基準ピッチ（基準ピッチ「Ｃ」）と入力音のピッチとの差分がインチューン状態である場合、すなわち、基準ピッチ「Ｃ」に対する入力音のピッチのずれが、音楽的にピッチが合っているとおおよそ許容できる程度に小さい場合、図１（ｂ）に示すように、基準音名「Ｃ」に対する表示部２０ａが最大輝度（１００％）で発光され、隣接する表示部２０ｂ、２０ｌは消光される。このとき、表示部２０ａが最大輝度で発光し、かつ隣接する上下の音名Ｃ＃、Ｂに対応する表示部２０ｂ、２０ｌは消灯状態となっているのを見て確認することで、入力音のピッチが基準ピッチ「Ｃ」に合った、すなわち調律が出来たと視覚的に判断することができる。なお、図１（ｂ）〜（ｄ）に示す例では、表示部２０ａ〜２０ｌのうち、発光中の表示部にはハッチングを付し、その濃淡によって輝度の違いを表している。具体的に、ハッチングが濃い程、輝度が高く、ハッチングが薄い程、輝度が低いことを表している。例えば、図１（ｂ）において最大輝度で発光する表示部２０ａ、２０ｅ、＃表示部２１ａ及び♭表示部２１ｂには、最も濃いハッチングを付している。
【００１８】
一方、基準ピッチと入力音のピッチとの差分がある程度大きくなった場合、すなわち、入力音のピッチが基準ピッチに対してインチューン状態でない場合、図１（ｃ）及び（ｄ）に示すように、基準音名に対する表示部２０ａと、表示部２０ａに隣接する表示部２０ｂ，または２０ｌのうちいずれかとの２つの表示部が同時に発光される。具体的に、基準ピッチ「Ｃ」に対して入力音のピッチが高い側にずれている場合には、音名「Ｃ」に対する表示部２０ａと、音名「Ｃ＃」に対する表示部２０ｂとが発光され、基準ピッチ「Ｃ」に対して入力音のピッチが低い側にずれている場合には、表示部２０ａと、音名「Ｂ」に対する表示部２０ｂとが発光される。より詳細には、基準ピッチ「Ｃ」と入力音のピッチとの差分が所定の閾値を超えて大きくなると、当該差分の絶対値が大きくなるにつれて、すなわち、入力音のピッチが基準ピッチ「Ｃ」から離れ、隣接する音名の基準ピッチ「Ｃ＃」または「Ｂ」に近づくにつれて、基準音名に対する表示部２０ａの輝度が次第に低くなる一方で、隣接する表示部２０ｂ又は表示部２０ｌの輝度が次第に高くなる。
【００１９】
また、本実施形態の調律装置１は、同時に発音された２音の混合音がマイク２２から入力された場合に、当該混合音を構成する２音のそれぞれに対し、上述した音名表示を、音名表示器２０（表示部２０ａ〜２０ｌ）に行うことができるように構成されている。図１（ｂ）〜（ｄ）には、混合音を構成する２音のうち、一方の音が表示部２０ａを発光させ、他方の音が表示部２０ｅを発光させている状態が例示されている。なお、便宜上、図１（ｂ）〜（ｄ）のいずれにおいても、表示部２０ｅが単独で発光された状態を例示しているが、上述した通り、入力音のピッチが、対応する基準ピッチに対してインチューン状態でない場合は、表示部２０ｅと、隣接する表示部２０ｆ又は表示部２０ｄとの両方が当該差分の大きさに応じた明暗で発光される。なお、本実施形態の調律装置１は、音律モードとしては、平均律音階のモード（以下「平均律モード」と称す）と、純正律音階のモード（以下、「純正律モード」と称す）とがあり、ユーザが選択した音律モードに応じて、音名表示器２０に表示させる各音名を、平均律音階の音名または純正律音階の音名のいずれかで表示できるように構成されている。
【００２０】
これに対し、補助表示器２１による表示は、混合音として入力された２音の入力音のピッチ差と、平均律音階または純正律音階に応じた基準音程とのずれ度合いを補助的に表示する。補助表示器２１による表示の詳細は後述するが、ユーザは、補助表示器２１の表示を見ることによって、音名表示器２０により音名が表示された２音の相対的なピッチ差と、平均律音階または純正律音階に応じた基準音程とのずれ度合いを確認できる。
【００２１】
図２は、調律装置１に１つの音（単音）を入力した場合の、基準ピッチに対する入力音のピッチの差分と、音名表示器２０における各表示部２０ａ〜２０ｌの輝度との関係の一例を説明する説明図である。図３は、入力音のピッチに対する各表示部２０ａ〜２０ｌの輝度変化の一例を示すグラフである。図３のグラフにおいて、横軸はピッチを示し、縦軸は輝度（％）を示す。なお、図２または図３において、値Ｑ１は音名「Ａ＃」と音名「Ｂ」それぞれの基準ピッチ間のピッチのセント差である。同様に、値Ｑ２は音名「Ｂ」と音名「Ｃ」との、値Ｑ３は音名「Ｃ」と音名「Ｃ＃」との、値Ｑ４は音名「Ｃ＃」と音名「Ｄ」それぞれの基準ピッチ間のピッチのセント差である。１オクターブを構成する各音名（Ｃ，Ｃ＃，Ｄ，Ｄ＃，Ｅ，Ｆ，Ｆ＃，Ｇ，Ｇ＃，Ａ，Ａ＃，Ｂ）について、隣接する２つの音名それぞれの基準ピッチ間のピッチのセント差（…，Ｑ１，Ｑ２，Ｑ３，Ｑ４，…）は、平均律音階である場合には全て１００セントである。一方、純正律音階である場合、隣接する音名のピッチ間のセント差は互いに異なっており、さらに同じ２つの音名間であっても、主音になる音名によって（主音の音名が異なれば）異なった値となる。ピッチずれの表示態様については、上述した通り、表示部２０ａ〜２０ｌは、被調律音の１音が入力されてピッチ検出された場合、基準ピッチに対する被調律音のピッチの差分（入力音のピッチから基準ピッチを差し引いた値）に応じて、基準ピッチに対応する１つの表示部のみ単独で、または、基準ピッチに対応する表示部と隣接する１つの表示部との２つの表示部が同時に発光される。本実施形態のように、入力音が２音である場合には、各音名それぞれについて、１音のみが単音で入力された場合と同様なピッチずれの表示が互いに独立した形で行われる。すなわち、入力音の２つのピッチにおいて、それぞれのピッチに最も近い基準ピッチに対する、入力音それぞれのピッチの差分に応じて、表示部２０ａ〜２０ｌのうち、１又は２つの表示部が発光される。
【００２２】
ここで、図４および図５を参照して、入力音のピッチに基づき決定される基準音名について説明する。なお、半音刻みの音名については、音階によっては音楽的な意味合いで♭（フラット）と＃（シャープ）を区別して用いたり、あるいは表記したりする場合があるが、説明の便宜上、以降すべて＃（シャープ）に統一する。図４（ａ）は、平均律音階および長調の純正律音階における半音ごとのセント差を示す図である。ここで、「平均律音階」とは、１オクターブを構成する１２音の音程を均一にして、実用的に簡便にした音律である。よって、平均律音階の場合、図４（ａ）に示すように、１半音変化する毎に、ピッチが１００セントずつ変化する。つまり、平均律音階では、隣接する音名のセント差はすべて１００セントである。一方、「純正律音階」とは、自然で調和のとれた理想的な音律をいい、１オクターブ内の各音を全て和声的に純粋な協和度の高い音の組み合わせで構成した音律である。そのため、純正律音階の場合、図４（ａ）に示すように、主音となる音名を基準として、隣接する音名のセント差はすべて異なる。
【００２３】
図４（ｂ）は、平均律音階および純正律音階（長調）における各音名の基準ピッチを示す図である。平均律音階では、１オクターブを構成する各音名（Ｃ，Ｃ＃，Ｄ，Ｄ＃，Ｅ，Ｆ，Ｆ＃，Ｇ，Ｇ＃，Ａ，Ａ＃，Ｂ）における半音ごとの基準ピッチの差は、図４（ａ）に示すセント差、すなわち、１００セントに相当する。一方、純正律音階において、主音となる音名の基準ピッチは、平均律音階によるものである。そして、主音となる音名とその他の各音名との基準ピッチの差は、図４（ａ）に示す「純正律（長調）」のセント差に相当する。なお、図４（ｂ）では、各純正律音階の主音となる音名の基準ピッチを太枠で囲っている。図４（ｂ）に示すように、平均律音階と純正律音階とでは、各音名に対応する基準ピッチが異なる。また、同じ純正律音階であっても、主音の音名に応じて各音名の基準ピッチが異なる。そこで、本実施形態の調律装置１には、平均律音階および純正律音階について、それぞれ、各音名の基準ピッチが取り得るピッチ範囲を規定するテーブル（音名決定テーブル）を予め準備しておくことによって、入力音の基準音名の決定を容易に行うことができるように構成されている。
【００２４】
図４（ｃ）および図５を参照して、上記音名決定テーブルについて説明する。まず、図４（ｃ）は、平均律音階用の音名決定テーブル（以下、「音名決定テーブルＨ」と称す）の内容を模式的に示す図である。音律モードが平均律モードである場合には、音名決定テーブルＨを参照し、入力音のピッチＰを含む範囲の音名が、入力音の基準音名として決定される。なお、音名決定テーブルＨは、音律モードが純正律モードである場合にも、入力音を構成する２音のうち、主音とする一方の音（例えば、ピッチが低い方の音）の基準音名を決定する場合にも使用される。音名決定テーブルＨにおいて、各音名に対するピッチの範囲の境界値は、平均律音階における、対象となる音名の基準ピッチと隣接する音名の基準ピッチとの中間の値である。
【００２５】
図５は、純正律音階用の音名決定テーブル（以下、「音名決定テーブルＪ」と称す）の内容を模式的に示す図である。音名決定テーブルＪは、主音の音名毎に設けられている。なお、図５には、長調の音名決定テーブルＪのみが記載されている。音律モードが純正律モードである場合には、入力音を構成する２音のうち、音名決定テーブルＨに基づいて決定された一方の音（第１音）を主音の音名とする音名決定テーブルＪを参照し、他方の音（第２音）のピッチＰに対し、当該ピッチＰが含まれる範囲の音名が、第２音の基準音名として決定される。主音の音名毎に設けられた各音名決定テーブルＪにおいて、各音名に対するピッチの範囲の境界値は、各主音に対応する純正律音階における、対象となる音名の基準ピッチと隣接する音名の基準ピッチとの中間の値である。
【００２６】
次に、図６および図７を参照して、補助表示器２１の発光態様（表示態様）について説明する。上述した通り、補助表示器２１には、混合音として入力された２つの入力音のピッチ差と、平均律音階または純正律音階に応じた基準音程とのずれ度合いが表示される。本実施形態の調律装置１には、平均律音階および純正律音階について、それぞれ、２つの入力音のピッチ差と、補助表示器２１の発光態様とを対応付けたテーブル（補助表示テーブル）を予め準備しておくことによって、補助表示器２１による表示制御を容易に行うことができるように構成されている。
【００２７】
本実施形態の調律装置１では、補助表示器２１の発光態様は、入力された２つの入力音のうち、低い方の音を基準に高い方の音のピッチのずれ度合いを補助表示器２１により表す場合のみを扱う。すなわち、低い方の音のピッチを基準ピッチとして、その基準ピッチと高い音のピッチとのピッチ差が、対応する２音間の基準音程に対してより大きい方にずれるか（＃表示部２１ａが発光、♭表示部２１ｂが消光）、小さい方にずれるか（＃表示部２１ａが消光、♭表示部２１ｂが発光）を表すものである。なお、入力された２つの入力音のうち、高い方の音を基準に低い方の音のピッチのずれ度合いを表すことも可能である。ここでは詳細な説明は省くが、その場合ピッチ差に対する補助表示器２１の発光／消光の態様は逆転する。すなわち、高い方の音のピッチを基準ピッチとして、その基準ピッチと低い音のピッチとのピッチ差が、対応する２音間の基準音程に対してより大きい方にずれるか（＃表示部２１ａが消光、♭表示部２１ｂが発光）、小さい方にずれるか（＃表示部２１ａが発光、♭表示部２１ｂが消光）を表す。
【００２８】
図６（ａ）は、平均律音階用の補助表示テーブル（以下、「補助表示テーブルＨ」と称す）の内容を模式的に示す図である。音律モードが平均律モードである場合には、補助表示テーブルＨを参照し、２つの入力音のピッチ差ΔＣを１２００で除したときの余りΔｃ（セント単位）を含む範囲の発光態様となるように、補助表示器２１の♯表示部２１ａおよび♭表示部２１ｂが発光／消光される。
【００２９】
一方、図６（ｂ）は、純正律音階用の補助表示テーブル（以下、「補助表示テーブルＪ」と称す）の内容を模式的に示す図である。なお、図６（ｂ）に示す補助表示テーブルＪは、長調の純正律音階に対応している。音律モードが純正律モードである場合には、補助表示テーブルＪを参照し、Δｃ（セント単位）を含む範囲の発光態様となるように、補助表示器２１の♯表示部２１ａおよび♭表示部２１ｂが発光／消光される。
【００３０】
図６（ａ）および（ｂ）に示すように、本実施形態において、補助表示器２１の発光態様は、Δｃの値に応じて、［１］♯表示部２１ａと♭表示部２１ｂとの両方が発光する態様と、［２］♯表示部２１ａが発光し、♭表示部２１ｂが消光する態様と、［３］♯表示部２１ａが消光し、♭表示部２１ｂが発光する態様と、［４］♯表示部２１ａと♭表示部２１ｂとの両方が消光する態様との４種類から構成される。
【００３１】
図７（ａ）は、平均律モードにおける補助表示器２１の発光状態、すなわち、図６（ａ）の補助表示テーブルＨに基づく制御に従う補助表示器２１の発光状態の一例を説明する図である。一方、図７（ｂ）は、純正律モードにおける補助表示器２１の発光状態、すなわち、図６（ｂ）の補助表示テーブルＪに基づく制御に従う補助表示器２１の発光状態の一例を説明する図である。
【００３２】
図７（ａ），（ｂ）において、横軸は、Δｃ、すなわち、２つの入力音のピッチ差ΔＣを１２００で除したときの余り（セント単位）である。また、図７（ａ），（ｂ）において、横軸の上側は、Δｃの値に対する♭表示部２１ｂの発光状態を表わし、横軸の下側は、Δｃの値に対する♯表示部２１ａの発光状態を表わす。具体的に、♯表示部２１ａおよび♭表示部２１ｂが発光する範囲を、それぞれ、「♯発光」および「♭発光」と記載したハッチング領域で表わしている。当該ハッチング領域が記載されていない範囲は、♯表示部２１ａまたは♭表示部２１ｂが消光していることを示す。
【００３３】
図７（ａ），（ｂ）に示すように、平均律モードおよび純正律モードのいずれのモードの場合においても、Δｃの値が、Ｘ半音差（Ｘは、０以上の整数）に相当する値、すなわち、基準音程（Ｚ１，Ｚ２，Ｚ３，Ｚ４，…）を中心とする±５セントの範囲内にある場合には、♯表示部２１ａおよび♭表示部２１ｂの両方が発光する。よって、♯表示部２１ａおよび♭表示部２１ｂの両方が発光した場合、マイク２２から入力された混合音を構成する２音の相対的なピッチ差が、平均律音階又は純正律音階に応じた基準音程のうち、当該相対的なピッチ差に最も近い基準音程の所定のピッチ範囲（±５セント）内に入っている、すなわち入力された２音はハーモニーが合っていることを示す。
【００３４】
一方、Δｃの値が、Ｘ半音差と（Ｘ＋１）半音差との中間に相当する値（Ｒ１，Ｒ２，Ｒ３，Ｒ４，Ｒ５，…）を中心とする±１０セントの範囲内にある場合には、♯表示部２１ａおよび♭表示部２１ｂのいずれも消光する。よって、♯表示部２１ａおよび♭表示部２１ｂの両方が消光した場合、マイク２２から入力された混合音を構成する２音の相対的なピッチ差が、平均律音階又は純正律音階に応じた基準音程からかけ離れたピッチ差であることを示す。
【００３５】
また、Δｃの値が、Ｘ半音差を中心とする±５セントの範囲内にも、Ｘ半音差と（Ｘ＋１）半音差との中間に相当する値を中心とする±１０セントの範囲内にもない場合、Δｃの値が、基準音程であるＸ半音差に相当する値（Ｚ１，Ｚ２，Ｚ３，Ｚ４，…）のうち、Δｃの値に最も近い値より大きい場合には、♯表示部２１ａが発光され、♭表示部２１ｂが消光される。よって、マイク２２から入力された混合音を構成する２音の相対的なピッチ差が、平均律音階又は純正律音階に応じた基準音程のうち、当該ピッチ差に最も近い基準音程より大きいことを示す。
【００３６】
一方、Δｃの値が、Ｘ半音差を中心とする±５セントの範囲内にも、Ｘ半音差と（Ｘ＋１）半音差との中間に相当する値を中心とする±１０セントの範囲内にもない場合、Δｃの値が、Ｘ半音差に相当する値（Ｚ１，Ｚ２，Ｚ３，Ｚ４，…）のうち、Δｃの値に最も近い値より小さい場合には、♭表示部２１ｂが発光され、♯表示部２１ａが消光される。よって、♭表示部２１ｂのみが発光した場合、マイク２２から入力された混合音を構成する２音の相対的なピッチ差が、平均律音階又は純正律音階に応じた基準音程のうち、当該ピッチ差に最も近い基準音程より小さいことを示す。
【００３７】
上述した通り、本実施形態の調律装置１によれば、補助表示器２１が、マイク２２から入力された混合音を構成する２音の相対的なピッチ差に応じた発光態様で発光される。よって、例えば、２人の歌唱者が二声合唱のハーモニー練習を行う場合に、補助表示器２１の発光態様を確認しながら、２音のピッチ差が平均律音階又は純正律音階に応じた基準音程に合うよう、すなわち、♯表示部２１ａと♭表示部２１ｂとの両方が発光するように、互いのボーカル音（入力音）のピッチを調律する。例えば、♯表示部２１ａのみが発光している場合、２人の歌唱者は、２音のピッチ差が小さくなるように、一方または両方のボーカル音のピッチを調律する。一方、♭表示部２１ｂのみが発光している場合、２人の歌唱者は、２音のピッチ差が大きくなるように、一方または両方のボーカル音のピッチを調律する。このように、２音のピッチ差が平均律音階又は純正律音階に応じた基準音程に合うように入力音の調律を行うことによって、２人の歌唱者相互間の相対的なピッチ差を、ハーモニーが合って美しく響かせることができる音程に合わせることができる。
【００３８】
また、本実施形態の調律装置１によれば、入力音が２音である場合には、各音名それぞれについて、１音のみが単独音で入力された場合と同様なピッチずれの表示が互いに独立した形で行われる。よって、２人の歌唱者の２音それぞれのピッチが、対応する音名の基準ピッチに対して合っているか、高い方または低い方にずれているかについても、音名表示器２０を見ることで、視覚的に情報を得ることができる。このため、２人の歌唱者は、各々自分の発する声のピッチに対応する音名の基準ピッチに対するピッチのずれ度合いを、音名表示器２０を参照して確認しつつ、お互いのピッチの相対的な音程の正確さ（すなわち、基準音程に合っているか）を、前述のように補助表示器２１により知ることができるので、二声合唱の効果的なハーモニーの練習を行うことが可能となる。
【００３９】
図８（ａ）は、調律装置１の電気的構成を示すブロック図である。調律装置１は、ＣＰＵ１１と、ＲＯＭ１２と、ＲＡＭ１３と、フラッシュメモリ１４と、操作パネル１５と、ドライバ１６と、アナログデジタルコンバータ（ＡＤＣ）１７と、音名表示器２０と、補助表示器２１と、マイク２２とを有している。各部１１〜１７は、バスライン２４を介して互いに接続される。マイク２２は、ＡＤＣ１７に接続される。音名表示器２０及び補助表示器２１は、ドライバ１６に接続される。
【００４０】
ＣＰＵ１１は、ＲＯＭ１２に記憶される固定値やプログラム、ＲＡＭ１３に記憶されているデータなどに従って、調律装置１の各部を制御する中央制御装置である。ＣＰＵ１１は、クロック信号を計数することにより、時刻を計時するタイマ（図示せず）を内蔵している。ＲＯＭ１２は、書き替え不能な不揮発性メモリであって、ＣＰＵ１１に実行させる制御プログラム１２ａや、この制御プログラム１２ａが実行される際にＣＰＵ１１により参照される固定値データ（図示せず）などが記憶される。なお、図９のフローチャートに示す各処理は、制御プログラム１２ａに基づいて実行される。
【００４１】
ＲＡＭ１３は、書き替え可能な揮発性メモリであり、ＣＰＵ１１が制御プログラム１２ａを実行するにあたり、各種のデータを一時的に記憶するためのテンポラリエリアを有する。フラッシュメモリ１４は、書き換え可能な不揮発性のメモリであり、音名決定テーブル１４ａと、補助表示テーブル１４ｂとが記憶される。
【００４２】
音名決定テーブル１４ａは、１オクターブを構成する各音に対応するピッチ範囲を規定するテーブルであり、平均律モードにおいて使用する音名決定テーブルＨと、純正律モードにおいて使用する音名決定テーブルＪとが記憶されている。音名決定テーブルＨは、上述した図４（ｃ）のテーブルである。本実施形態の調律装置１には、純正律用音名決定テーブルとして、長調の純正律音階の基準ピッチに応じて規定されるテーブル、すなわち、図５の音名決定テーブルＪが記憶されている。
【００４３】
補助表示テーブル１４ｂは、２つの入力音のピッチ差と補助表示器２１の発光態様とを対応付けたテーブルであり、平均律モードにおいて使用する図６（ａ）の補助表示テーブルＨと、純正律モードにおいて使用する図６（ｂ）の補助表示テーブルＪとが記憶されている。
【００４４】
操作パネル１５は、ユーザが各種指示を入力する操作子や、７セグメントＬＥＤから構成される表示部などが設けられたパネルである。操作パネル１５は、音律モードを、平均律モードまたは純正律モードのいずれかに設定するモード選択操作子３７（図８（ｂ）参照）を有する。
【００４５】
ドライバ１６は、音名表示器２０の表示部２０ａ〜２０ｌにそれぞれ設けられたＬＥＤ、及び、補助表示器２１の各表示部２１ａ，２１ｂにそれぞれ設けられたＬＥＤに接続され、各ＬＥＤを発光させるＬＥＤドライバである。ドライバ１６は、ＣＰＵ１１から入力された、発光態様を指示する制御情報に従い、指示対象のＬＥＤを発光させる。ドライバ１６は、ＰＷＭ（Pulse Width Modulation）制御によって、各ＬＥＤの輝度を制御する。よって、ＣＰＵ１１から供給された制御情報がＬＥＤの輝度を指定する情報である場合には、指定された輝度に応じたデューティ比の電力パルスが制御対象とするＬＥＤへ供給される。これにより、表示部２０ａ〜２０ｌおよび表示部２１ａ，２１ｂに設けられた各ＬＥＤは、供給された電力パルスのデューティ比に応じた輝度、即ち、ＣＰＵ１１により指定された輝度で発光する。本実施形態において、各表示部２０ａ〜２０ｌにそれぞれ設けられたＬＥＤは、多色表示可能なＬＥＤ（本実施形態では、３色ＬＥＤ）から構成され、ＣＰＵ１１からの制御情報に応じた色で発光する。
【００４６】
図８（ｂ）は、調律装置１の機能を説明するための機能ブロック図である。図８（ｂ）に示すように、調律装置１は、入力手段３１と、ピッチ検出手段３２と、第１音名決定手段３３と、第２音名決定手段３４と、音名表示制御手段３５と、補助表示制御手段３６と、モード選択操作子３７と、音名表示器２０と、補助表示器２１とを含む。
【００４７】
モード選択操作子３７は、操作パネル１５に設けられた操作子の１つであり、ユーザが音律モードを選択する場合に操作される。具体的に、モード選択操作子３７を操作することによって、音律モードを、平均律モードまたは純正律モードのいずれかに設定することができる。ユーザがモード選択操作子３７を操作し、音律モードとして、平均律モードか純正律モードかのいずれを選択した場合、選択されたモードを示す情報が、第２音名決定手段３４と、補助表示制御手段３６とに供給される。
【００４８】
一方、入力手段３１は、外部からの入力音を調律装置１へ入力させる機能であり、マイク２２およびＡＤＣ１７などによって実現される。入力手段３１は、入力音をピッチ検出手段３２に供給する。本実施形態では、同時に発音された２音（第１音，第２音）の混合音を入力手段３１から入力させるものとする。かかる場合、ピッチ検出手段３２には、当該混合音が供給される。
【００４９】
ピッチ検出手段３２は、入力手段３１から供給された入力音のピッチを検出する機能であり、ＣＰＵ１１などによって実現される機能である。本実施形態のピッチ検出手段３２は、２音のピッチをそれぞれ独立して検出可能に構成される。よって、第１音と第２音とを含む混合音が、入力手段３１に入力された場合、ピッチ検出手段３２は、第１音のピッチと第２音のピッチとをそれぞれ検出する。なお、複数のピッチ（例えば、２音のピッチ）をそれぞれ独立して検出する技術は周知であるので、その詳細な説明は省略する。ピッチ検出手段３２は、検出したピッチのうち、第１音のピッチを、第１音名決定手段３３に供給し、第２音のピッチを、第２音名決定手段３４に供給する。また、ピッチ検出手段３２は、検出した２音のピッチを、音名表示制御手段３５と、補助表示制御手段３６とに供給する。
【００５０】
第１音名決定手段３３は、入力手段３１から入力された混合音に含まれる第１音の基準音名を決定する機能であり、ＣＰＵ１１などによって実現される機能である。第１音名決定手段３３は、ピッチ検出手段３２から供給された第１音のピッチに基づき、第１音の基準音名を決定する。具体的に、第１音のピッチに最も近い音名を基準音名として決定する。本実施形態では、音名決定テーブル１４ａの１つである音名決定テーブルＨを参照し、第１音のピッチを含む範囲に対応する音名を、第１音の基準音名として決定する。第１音名決定手段３３は、決定された第１音の基準音名を、第２音名決定手段３４と、音名表示制御手段３５とに供給する。
【００５１】
第２音名決定手段３４は、入力手段３１から入力された混合音に含まれる第２音の基準音名を決定する機能であり、ＣＰＵ１１などによって実現される機能である。第２音名決定手段３４は、ピッチ検出手段３２から供給された第２音のピッチに基づき、第２音の基準音名および基準ピッチを決定する。第２音名決定手段３４は、第２音の基準音名の決定を、モード選択操作子３７により選択されたモードに対応する音律に従って行う。具体的に、平均律モードが選択されている場合には、平均律音階に基づいて、第２音のピッチに最も近い音名を基準音名として決定する。本実施形態では、平均律モードである場合、音名決定テーブル１４ａの１つである音名決定テーブルＨを参照し、第２音のピッチを含む範囲に対応する音名を、第２音の基準音名として決定する。
【００５２】
一方、純正律モードが選択されている場合には、第１音名決定手段３３から供給された第１音の音名を主音とする純正律音階に基づいて、第２音のピッチに最も近い音名を基準音名として決定する。本実施形態では、純正律モードである場合、音名決定テーブル１４ａの１つである音名決定テーブルＪのうち、第１音名決定手段から供給された第１音の音名を主音とするテーブルを参照し、第２音のピッチを含む範囲に対応する音名を、第２音の基準音名として決定する。第２音名決定手段３４は、決定された第２音の基準音名を、音名表示制御手段３５に供給する。
【００５３】
音名表示制御手段３５は、音名表示器２０の発光を制御する機能であり、ＣＰＵ１１およびドライバ１６などによって実現される。音名表示制御手段３５は、ピッチ検出手段３２から供給された第１音のピッチと、第１音名決定手段３３から供給された第１音の基準音名および当該基準音名に対応する基準ピッチとに基づき、音名表示器２０の表示部２０ａ〜２０ｌのうち、発光対象とする表示部に対し、発光輝度に応じたデューティ比の電力パルスを供給する。音名表示制御手段３５から電力パルスが供給されると、音名表示制御手段３５において発光対象とされた表示部２０ａ〜２０ｌのＬＥＤが所定の発光色および輝度で発光する。これにより、入力された混合音のうち、第１音に対する音名表示が音名表示器２０において行われる。
【００５４】
また、音名表示制御手段３５は、ピッチ検出手段３２から供給された第２音のピッチと、第２音名決定手段３４から供給された第２音の基準音名および当該基準音名に対応する基準ピッチとに基づき、音名表示器２０の表示部２０ａ〜２０ｌのうち、発光対象とする表示部に対し、発光輝度に応じたデューティ比の電力パルスを供給する。これにより、入力された混合音のうち、第２音に対する音名表示が音名表示器２０において行われる。
【００５５】
補助表示制御手段３６は、補助表示器２１（第１表示部２１ａ，第２表示部２１ｂ）の発光を制御する機能であり、ＣＰＵ１１およびドライバ１６などによって実現される。補助表示制御手段３６は、ピッチ検出手段３２から供給された第１音のピッチと第２音のピッチとのピッチ差に基づき、補助表示器２１の表示部２１ａ，２１ｂのうち、発光対象とする表示部に対し、発光輝度に応じたデューティ比の電力パルスを供給する。補助表示制御手段３６から電力パルスが供給されると、補助表示制御手段３６において発光対象とされた第１表示部２１ａ及び／又は第２表示部２１ｂのＬＥＤが所定の発光色および輝度で発光する。
【００５６】
補助表示制御手段３６は、発光対象とする表示部２１ａ，２１ｂの決定を、モード選択操作子３７により選択されたモードに対応する音律に従って行う。具体的に、平均律モードが選択されている場合には、補助表示テーブル１４ｂの１つである補助表示テーブルＨを参照し、第１音のピッチと第２音のピッチとのピッチ差に応じて、発光対象とする表示部２１ａ，２１ｂを決定する。一方、純正律モードが選択されている場合には、補助表示テーブル１４ｂの１つである補助表示テーブルＪを参照し、第１音のピッチと第２音のピッチとのピッチ差に応じて、発光対象とする表示部２１ａ，２１ｂを決定する。
【００５７】
図９は、上記構成を有する調律装置１のＣＰＵ１１が実行する表示処理を示すフローチャートである。表示処理は、マイク２２から入力された混合音（入力音）から検出された各ピッチに基づき、音名表示器２０及び補助表示器２１の表示を制御する処理である。表示処理は、操作パネル１５に対する所定の操作によって、混合音の調律作業を開始する指示が入力されると開始し、以降は所定時間毎（例えば、２００ｍｓ毎）に繰り返し実行される。
【００５８】
ＣＰＵ１１は、まず、混合音に含まれる２音のピッチＰ１，Ｐ２（Ｐ１＜Ｐ２）をそれぞれ検出する（Ｓ９０１）。なお、ピッチＰ１は、第１音のピッチとし、ピッチＰ２は、第２音のピッチとする。次に、ＣＰＵ１１は、検出されたピッチＰ１に最も近い音名Ｎｐ１と、当該音名Ｎｐ１に対応する基準ピッチＳｐ１とを決定し（Ｓ９０２）、処理をＳ９０３に移行する。Ｓ９０２において、ＣＰＵ１１は、音名決定テーブル１４ａとして記憶されている、図４（ｃ）の音名決定テーブルＨを参照し、ピッチＰ１を含む範囲に対応する音名を、音名Ｎｐ１として決定する。また、音名Ｎｐ１に対応する基準ピッチＳｐ１は、平均律に従って決定する。
【００５９】
Ｓ９０３において、ＣＰＵ１１は、音律モードを判断する。音律モードが平均律モードであると、ＣＰＵ１１が判断した場合（Ｓ９０３：平均律モード）、ＣＰＵ１１は、音名決定テーブルＨを、第２音の音名を決定するためのテーブルとして選択し（Ｓ９０４）、処理をＳ９０５に移行する。一方、音律モードが純正律モードであると、ＣＰＵ１１が判断した場合（Ｓ９０３：純正律モード）、ＣＰＵ１１は、音名決定テーブル１４ａとして記憶されている、図５の音名決定テーブルＪのうち、音名Ｎｐ１を主音とするテーブルを、第２音の音名を決定するためのテーブルとして選択し（Ｓ９１３）、処理をＳ９０５に移行する。
【００６０】
Ｓ９０５において、ＣＰＵ１１は、Ｓ９０４またはＳ９１３において選択されたテーブルを参照し、検出されたピッチＰ２に最も近い音名Ｎｐ２と、当該音名Ｎｐ２に対応する基準ピッチＳｐ２とを決定する。Ｓ９０５において、音名Ｎｐ２に対応する基準ピッチＳｐ２は、平均律モードの場合は平均律音階に従って決定し、純正律モードの場合は音名Ｎｐ１を主音とする純正律音階に従って決定する。
【００６１】
次に、ＣＰＵ１１は、ｘ＝１，２について、それぞれ、検出されたピッチＰｘから、音名Ｎｐｘの基準ピッチＳｐｘを減算した差分Δｐｘを、セント単位で算出する（Ｓ９０６）。つまり、Ｓ９０６において、ＣＰＵ１１は、第１音および第２音のそれぞれについて、決定された音名の基準ピッチに対する、検出されたピッチのずれ度合いをセント単位で算出する。
【００６２】
次に、ＣＰＵ１１は、ｘ＝１，２について、それぞれ、算出されたΔｐｘの値について判断する（Ｓ９０７）。Ｓ９０７において、Δｐｘの値が、−１０セント≦Δｐｘ≦＋１０セントの範囲内であると、ＣＰＵ１１が判断した場合（Ｓ９０７：−１０ｃｅｎｔ≦Δｐｘ≦＋１０ｃｅｎｔ）、ＣＰＵ１１は、音名表示器２０において、音名Ｎｐｘに対する表示部を、１００％の輝度で赤色に発光させるよう、ドライバ１６に制御情報を出力し（Ｓ９０８）、処理をＳ９０９に移行する。よって、Δｐｘの値が、−１０セント≦Δｐｘ≦＋１０セントの範囲内である場合には、表示部２０ａ〜２０ｌのうち、音名Ｎｐｘに対する表示部が１００％の輝度で赤色に発光する。
【００６３】
一方、Ｓ９０７において、Δｐｘの値が、Δｐｘ＜−１０セントを満たすと、ＣＰＵ１１が判断した場合（Ｓ９０７：Δｐｘ＜−１０ｃｅｎｔ）、ＣＰＵ１１は、音名表示器２０において、音名Ｎｐｘに対する表示部と、当該表示部に隣接する半音下の表示部とを、Δｐｘの値に応じた輝度で赤色に発光させるよう、ドライバ１６に制御情報を出力し（Ｓ９１４）、処理をＳ９０９に移行する。Ｓ９１４において、両表示部の輝度は、例えば、図３のグラフに示す関係性に従い決定される。よって、Δｐｘの値が、−１０セントより小さい場合には、表示部２０ａ〜２０ｌのうち、音名Ｎｐｘに対する表示部と当該表示部に隣接する半音下の表示部とがいずれも赤色で発光するとともに、両表示部のうち、音名Ｎｐｘに対する表示部の輝度は、Δｐｘの絶対値が大きくなるにつれて次第に低くなり、当該表示部に隣接する半音下の表示部の輝度は、Δｐｘの絶対値が大きくなるにつれて高くなる。
【００６４】
また、Ｓ９０７において、Δｐｘの値が、＋１０セント＜Δｐｘを満たすと、ＣＰＵ１１が判断した場合（Ｓ９０７：＋１０ｃｅｎｔ＜Δｐｘ）、ＣＰＵ１１は、音名表示器２０において、音名Ｎｐｘに対する表示部と、当該表示部に隣接する半音上の表示部とを、Δｐｘの値に応じた輝度で赤色に発光させるよう、ドライバ１６に制御情報を出力し（Ｓ９１５）、処理をＳ９０９に移行する。なお、Ｓ９１５において、両表示部の輝度は、例えば、図３のグラフに示す関係性に従い決定される。よって、Δｐｘの値が、＋１０セントより大きい場合には、表示部２０ａ〜２０ｌのうち、音名Ｎｐｘに対する表示部と当該表示部に隣接する半音下の表示部とがいずれも赤色で発光するとともに、両表示部のうち、音名Ｎｐｘに対する表示部の輝度は、Δｐｘの絶対値が大きくなるにつれて次第に低くなり、当該表示部に隣接する半音上の表示部の輝度は、Δｐｘの絶対値が大きくなるにつれて高くなる。
【００６５】
なお、本実施形態では、ｘ＝１（第１音）の場合も、ｘ＝２（第２音）の場合も、音名表示器２０（表示部２０ａ〜２０ｌ）を赤色で発光させる構成としたが、ｘ＝１の場合とｘ＝２の場合とで、発光色を異ならせる構成としてもよい。例えば、ｘ＝１の場合には発光色を赤色とし、ｘ＝２の場合には発光色を青色としてもよい。
【００６６】
Ｓ９０９において、ＣＰＵ１１は、ピッチＰ２から、ピッチＰ１を減算した差分ΔＣを、セント単位で算出する。つまり、Ｓ９０９において、ＣＰＵ１１は、第１音のピッチＰ１と第２音のピッチＰ２との相対的な差分ΔＣをセント単位で算出する。次に、ＣＰＵ１１は、ΔＣ％１２００を演算して、Δｃを算出する（Ｓ９１０）。演算子「％」は、剰余演算子である。つまり、Ｓ９１０において、ＣＰＵ１１は、ΔＣを１２００で除したときの余りをΔｃとして算出する。
【００６７】
次に、ＣＰＵ１１は、音律モードを判断する（Ｓ９１１）。音律モードが平均律モードであるとＣＰＵ１１が判断した場合（Ｓ９１１：平均律モード）、ＣＰＵ１１は、補助表示テーブル１４ｂとして記憶されている、図６（ａ）の補助表示テーブルＨを参照し、補助表示器２１（♯表示部２１ａ，♭表示部２１ｂ）のＬＥＤを、Δｃの値に応じた発光態様で発光又は消光させるよう、ドライバ１６に制御情報を出力し（Ｓ９１２）、本処理を終了する。
【００６８】
一方、Ｓ９１１において、音律モードが純正律モードであるとＣＰＵ１１が判断した場合（Ｓ９１１：純正律モード）、ＣＰＵ１１は、補助表示テーブル１４ｂとして記憶されている、図６（ｂ）の音名決定テーブルＪを参照し、補助表示器２１（♯表示部２１ａ，♭表示部２１ｂ）のＬＥＤを、Δｃの値に応じた発光態様で発光又は消光させるよう、ドライバ１６に制御情報を出力し（Ｓ９１６）、本処理を終了する。
【００６９】
Ｓ９１２，Ｓ９１６の処理が実行されると、補助表示器２１（♯表示部２１ａ，♭表示部２１ｂ）が、Δｃの値に応じた発光態様で発光又は消光される。具体的に、Δｃの値が、平均律または純正律の音階に従うＸ半音差（Ｘは、０以上の整数）に相当する値を中心とする±５セントの範囲内にある場合には、♯表示部２１ａおよび♭表示部２１ｂの両方が発光する。一方、Δｃの値が、Ｘ半音差と（Ｘ＋１）半音差との中間に相当する値を中心とする±１０セントの範囲内にある場合には、♯表示部２１ａおよび♭表示部２１ｂのいずれも消光する。
【００７０】
また、Δｃの値が、Ｘ半音差を中心とする±５セントの範囲内にも、Ｘ半音差と（Ｘ＋１）半音差との中間に相当する値を中心とする±１０セントの範囲内にもない場合、Δｃの値が、Ｘ半音差に相当する値のうち、Δｃの値に最も近い値より大きい場合には、♯表示部２１ａが発光され、♭表示部２１ｂが消光される。一方、Δｃの値が、Ｘ半音差を中心とする±５セントの範囲内にも、Ｘ半音差と（Ｘ＋１）半音差との中間に相当する値を中心とする±１０セントの範囲内にもない場合、Δｃの値が、Ｘ半音差に相当する値のうち、Δｃの値に最も近い値より小さい場合には、♭表示部２１ｂが発光され、♯表示部２１ａが消光される。
【００７１】
以上説明した通り、本実施形態の調律装置１によれば、混合音を構成する２音の相対的なピッチ差に応じて補助表示部２１の発光態様（表示態様）が制御されるので、ユーザは、音名表示器２０により、２音それぞれのピッチが、対応する音名の基準ピッチに対して合っているか、高い方または低い方にずれているかについて確認しながら、同時に、補助表示部２１の発光態様に基づき、２音の相対的なピッチ差を確認することができる。よって、ユーザは、例えば、二声合唱などのハーモニー練習をする場合に、補助表示部２１の発光態様に基づいて、各パートの音の相対的なピッチ差を確認することで、美しいハーモニーを奏でることができるように、各パートの絶対的な音程ではなく、一方のパートのピッチと他方のパートのピッチとの相対的な音程（ピッチ差）を調律することができる。これにより、２音を長３度や完全５度の音程を持たせたハーモニー音とするハーモニー演奏の練習を行うことができる。なお、調律対象とする混合音は、２人のボーカル、または２本の管楽器など調律装置１の外部の音源から同時に発音された２音が混合されたものであってもよいし、調律装置１がスピーカを有し、楽音データに基づく音を発音可能な場合には、調律装置１から発音される１音と、ボーカルや管楽器が発した１音との混合音であってもよい。
【００７２】
なお、２音のピッチに対する音名を同時に表示し、かつそれらが刻々と音程が変わっていくことを考えると、例えば２音がパート１、パート２で構成され、それぞれのパートのピッチに対して発光する音名表示器２０の音名ＮＰ１、ＮＰ２が、同じ色や輝度で表示された場合、パート１、パート２両方のピッチが変更されると、変更後のピッチに対して発光する音名表示器２０の２つの音名のうち、どちらがＮＰ１でありＮＰ２であるのかが分からなくなることが考えられる。よって、パート１、パート２それぞれのピッチの遷移状態（ピッチ変化の軌跡）を何らかの方法で音名表示器２０に表示することが望ましい。
【００７３】
次に、図１０〜図１２を参照して、本発明の第２実施形態を説明する。本実施形態の調律装置１は、入力音のピッチが変化した場合に、そのピッチ変化の様子、すなわちピッチの遷移状態が視覚的に分かり易く音名表示器２０に表示されるように構成される。本実施形態において、上述した第１実施形態と同一の部分には同一の符号を付し、その説明を省略する。
【００７４】
図１０は、第２実施形態の調律装置１の機能を説明するための機能ブロック図である。なお、第２実施形態の調律装置１は、図１および図８（ａ）に示す構成と同様に構成される。図１０に示すように、第２実施形態の調律装置１は、入力手段１３１と、ピッチ検出手段１３２と、ピッチ平滑化手段１３３と、音名決定手段１３４と、音名表示手段１３５と、音名表示器２０とを含む。
【００７５】
入力手段１３１は、外部からの入力音を調律装置１へ入力させる機能であり、マイク２２およびＡＤＣ１７などによって実現される。入力手段１３１は、入力音をピッチ検出手段１３２に供給する。ピッチ検出手段１３２は、入力手段１３１から供給された入力音のピッチを検出する機能であり、ＣＰＵ１１などによって実現される機能である。本実施形態では、ピッチ検出手段１３２は、ピッチの検出を２００ｍｓ毎に実行するように構成されている。ピッチ検出手段１３２は、検出したピッチｐを、ピッチ平滑化手段１３３に供給する。
【００７６】
ピッチ平滑化手段１３３は、基準音名の基準ピッチ近くでのピッチの揺れを防止する機能であり、ＣＰＵ１１などによって実現される機能である。ピッチ平滑化手段１３３は、ピッチ検出手段１３２により検出されたピッチｐから決定された音名と、前回に決定された音名とが同じであるか否かを判定し、異なると判定された場合には、検出されたピッチｐをそのまま、基準音名を決定するためのピッチＰとして決定する。一方、ピッチ検出手段１３２により検出されたピッチｐから決定された基準音名と、前回に決定された基準音名とが同じであると判定された場合には、今回検出されたピッチｐを含め過去Ｘ回分（本実施形態では、１０回分）のピッチの平均値を、基準音名を決定するためのピッチＰとして決定する。ピッチ平滑化手段１３３は、決定されたピッチＰを、音名決定手段１３４と、音名表示制御手段１３５とに供給する。
【００７７】
音名決定手段１３４は、入力手段１３１から入力された入力音の基準音名を決定する機能であり、ＣＰＵ１１などによって実現される機能である。音名決定手段１３４は、ピッチ平滑化手段１３３から供給されたピッチＰに基づき、入力音の基準音名を決定する。具体的に、ピッチＰに最も近い音名を基準音名として決定する。なお、本実施形態では、音名決定手段１３４は、平均律に従い基準音名を決定するものとする。音名決定手段１３４は、決定された基準音名を、音名表示制御手段１３５に供給する。
【００７８】
音名表示制御手段１３５は、第１実施形態の音名表示制御手段３５と同様の、音名表示器２０の発光を制御する機能であり、ＣＰＵ１１およびドライバ１６などによって実現される。音名表示制御手段１３５は、ピッチ平滑化手段１３３から供給されたピッチＰと、音名決定手段１３４から供給された基準音名および当該基準音名に対応する基準ピッチとに基づき、音名表示器２０の表示部２０ａ〜２０ｌのうち、発光対象とする表示部に対し、発光輝度に応じたデューティ比の電力パルスを供給する。これにより、入力音に対する音名表示が音名表示器２０において行われる。
【００７９】
音名表示制御手段１３５は、表示平滑化手段１３５ａを含む。表示平滑化手段１３５ａは、入力音のピッチが変化した場合に、その変化の様子を視覚的に分かり易く音名表示器２０に表示させる機能であり、ＣＰＵ１１などによって実現される機能である。表示平滑化手段１３５ａは、音名決定手段１３４により決定された基準音名Ｎが、前回の基準音名Ｎｂと異なる場合に、ピッチ検出手段１３２によるピッチの検出間隔（２００ｍｓ）の範囲内で、表示部２０ａ〜２０ｌのうち、前回の基準音名Ｎｂに対応する表示部から、今回の基準音名Ｎに対応する表示部までの間に含まれる音名の表示部の一部又は全部を対象とし、対象とする表示部を、１つあたり所定時間（本実施形態では、５０ｍｓ）ずつ発光させながらピッチの変化方向に順次移動させる。これにより、音名表示器２０には、入力音が、音名Ｎｂから音名Ｎに変化した様子を、発光する表示部の移動方向によって表わすことができる。
【００８０】
図１１は、第２実施形態の調律装置１のＣＰＵ１１が実行する表示処理を示すフローチャートである。第２実施形態の表示処理もまた、第１実施形態と同様、混合音の調律作業を開始する指示が入力されると開始される。本処理は、所定時間毎（本実施形態では、２００ｍｓ毎）に繰り返し実行される。
【００８１】
ＣＰＵ１１は、まず、入力音のピッチｐを検出する（Ｓ１１０１）。本実施形態では、本処理は２００ｍｓ毎に行われるので、ピッチｐの検出も２００ｍｓ毎に行われる。次に、ＣＰＵ１１は、検出されたピッチｐに最も近い音名ｎを決定し（Ｓ１１０２）、音名ｎが、前回の音名ｎである前回音名ｎｂと同じであるかを判断する（Ｓ１１０３）。
【００８２】
Ｓ１１０３において、音名ｎと音名ｎｂとが同じであると、ＣＰＵ１１が判断した場合（Ｓ１１０３：Ｙｅｓ）、ＣＰＵ１１は、ＲＡＭ１３に記憶されているｐ［Ｘ］（Ｘ＝１，２，…，９）の値を、ｐ［Ｘ＋１］にコピーするとともに、ｐ［１］に、ピッチｐをコピーする（Ｓ１１０４）。ｐ［Ｘ］は、ＲＡＭ１３に設けられた、Ｓ１１０１において検出されたピッチｐを、X個分、個々に格納する領域である。つまり、過去に検出されたピッチｐを、最大Ｘ回分だけｐ［Ｘ］に格納することができる。本実施形態では、Ｘ＝１〜１０である。
【００８３】
一方、Ｓ１１０３において、音名ｎと音名ｎｂとが異なると、ＣＰＵ１１が判断した場合（Ｓ１１０３：Ｎｏ）、ｐ［Ｘ］（Ｘ＝１，２，…，１０）に、ピッチｐをコピーする（Ｓ１１１３）。つまり、音名ｎと音名ｎｂとが異なる場合には、Ｘ＝１からＸ＝１０までのｐ［Ｘ］の値が全てピッチｐとなる。
【００８４】
Ｓ１１０４またはＳ１１１３の処理後、ＣＰＵ１１は、音名ｎを、前回音名ｎｂとしてＲＡＭ１３に記憶する（Ｓ１１０５）。次に、ＣＰＵ１１は、ｐ［Ｘ］（Ｘ＝１，２，…，１０）の平均値を検出ピッチＰとし、検出ピッチＰに最も近い音名Ｎを基準音名として決定するとともに、当該音名Ｎに対応する基準ピッチＳｔを決定する（Ｓ１１０６）。次に、ＣＰＵ１１は、検出ピッチＰから、音名Ｎの基準ピッチＳｔを減算した差分Δを、セント単位で算出する（Ｓ１１０７）。
【００８５】
次に、ＣＰＵ１１は、音名Ｎが、前回の音名Ｎである前回音名Ｎｂと同じであるかを判断する（Ｓ１１０８）。Ｓ１１０８において、音名Ｎと前回音名Ｎとが異なると、ＣＰＵ１１が判断した場合（Ｓ１１０８：Ｎｏ）、ＣＰＵ１１は、検出ピッチＰが、前回の検出ピッチＰである前回ピッチＰｂより大きいかを判断する（Ｓ１１１４）。
【００８６】
Ｓ１１１４において、検出ピッチＰが前回ピッチＰｂより大きいと、ＣＰＵ１１が判断した場合（Ｓ１１１４：Ｙｅｓ）、ＣＰＵ１１は、音名表示器２０において、遷移表示時間Ｔｂ＝２００ｍｓの間に、発光時間差Ｔｄ＝５０ｍｓ刻みで、表示部２０ａ〜２０ｌのうち、前回音名Ｎｂに対応する表示部から、音名Ｎに対応する表示部へ時計回りに表示を移動させる（Ｓ１１１５）。Ｓ１１１５の処理により、１つの表示部あたりの発光時間をＴ（本実施形態では、発光時間差Ｔｄに相当する５０ｍｓ）とし、発光する表示部が時計回りに切り替わりながら、遷移表示時間Ｔｂ（本実施形態では、２００ｍｓ）後に、音名Ｎに対応する表示部が発光する。Ｓ１１１５の処理による表示部の遷移表示については、その一例を後述する図１２（ａ）に示す。
【００８７】
一方、Ｓ１１１４において、検出ピッチＰが前回ピッチＰｂより小さいと、ＣＰＵ１１が判断した場合（Ｓ１１１４：Ｎｏ）、ＣＰＵ１１は、音名表示器２０において、遷移表示時間Ｔｂ＝２００ｍｓの間に、発光時間差Ｔｄ＝５０ｍｓ刻みで、表示部２０ａ〜２０ｌのうち、前回音名Ｎｂに対応する表示部から、音名Ｎに対応する表示部へ反時計回りに表示を移動させる（Ｓ１１１６）。Ｓ１１１６の処理により、１つの表示部あたりの発光時間をＴ（ｍｓ）とし、発光する表示部が反時計回りに切り替わりながら、遷移表示時間Ｔｂ（ｍｓ）後に、音名Ｎに対応する表示部が発光される。Ｓ１１１６の処理による表示部の遷移表示については、その一例を後述する図１２（ｂ）に示す。
【００８８】
Ｓ１１１５またはＳ１１１６の処理後、ＣＰＵ１１は、処理をＳ１１０９に移行する。また、Ｓ１１０８において、音名Ｎと前回音名Ｎとが同じであるとＣＰＵ１１が判断した場合もまた（Ｓ１１０８：Ｙｅｓ）、ＣＰＵ１１は、処理をＳ１１０９に移行する。Ｓ１１０９において、ＣＰＵ１１は、音名Ｎを、前回音名ＮｂとしてＲＡＭ１３に記憶する。次に、ＣＰＵ１１は、検出ピッチＰを前回ピッチＰｂとしてＲＡＭ１３に記憶する（Ｓ１１１０）。
【００８９】
次に、ＣＰＵ１１は、Ｓ１１０７において算出されたΔの値について判断する（Ｓ９０１１１１）。Ｓ１１１１において、Δの値が−１０セント≦Δ≦＋１０セントの範囲内であるとＣＰＵ１１が判断した場合（Ｓ１１１１：−１０ｃｅｎｔ≦Δ≦＋１０ｃｅｎｔ）、ＣＰＵ１１は、音名表示器２０において、音名Ｎに対する表示部を１００％の輝度で赤色に発光させるようドライバ１６に制御情報を出力し（Ｓ１１１２）、本処理を終了する。
【００９０】
一方、Ｓ１１１１において、Δの値がΔ＜−１０セントを満たすとＣＰＵ１１が判断した場合（Ｓ１１１１：Δ＜−１０ｃｅｎｔ）、ＣＰＵ１１は、音名表示器２０において、音名Ｎに対する表示部と、当該表示部に隣接する半音下の表示部とを、Δの値に応じた輝度で赤色に発光させるようドライバ１６に制御情報を出力し（Ｓ１１１７）、本処理を終了する。Ｓ１１１７において、両表示部の輝度は、例えば図３のグラフに示す関係性に従い決定される。
【００９１】
また、Ｓ１１１１において、Δの値が＋１０セント＜Δを満たすとＣＰＵ１１が判断した場合（Ｓ１１１１：＋１０ｃｅｎｔ＜Δ）、ＣＰＵ１１は、音名表示器２０において、音名Ｎに対する表示部と、当該表示部に隣接する半音上の表示部とを、Δの値に応じた輝度で赤色に発光させるようドライバ１６に制御情報を出力し（Ｓ１１１８）、本処理を終了する。なお、Ｓ１１１８において、両表示部の輝度は、例えば図３のグラフに示す関係性に従い決定される。
【００９２】
ここで、図１２を参照して、上述した図１１の表示処理におけるＳ１１１５，Ｓ１１１６の処理による音名の遷移表示の具体例について説明する。図１２（ａ）は、Ｓ１１１５の処理による音名の遷移表示、すなわち、ピッチが上がった場合の音名の遷移表示の一例を示す図である。一方、図１２（ｂ）は、Ｓ１１１６の処理による音名の遷移表示、すなわち、ピッチが下がった場合の音名の遷移表示の一例を示す図である。図１２（ａ），（ｂ）には、前回音名Ｎｂが「Ｃ」である場合について、前回音名Ｎｂから、今回の音名Ｎとして「Ｃ＃」〜「（１オクターブ上の）Ｃ」に変化したときに、発光時間差Ｔｄである５０ｍｓ毎に発光される表示部の音名が記載されている。
【００９３】
図１２（ａ）に示すように、前回音名Ｎｂから入力音のピッチが上がった場合には、表示部２０ａ〜２０ｌのうち、前回音名Ｎｂに対応する表示部と音名Ｎに対応する表示部との間に位置する表示部の一部または全てが、発光時間差Ｔｄである５０ｍｓ毎に、前回音名Ｎｂに対応する表示部から時計回り、すなわち、前回音名Ｎｂを基準として、音名が高音側に変化する方向に順次発光される。一方、図１２（ｂ）に示すように、前回音名Ｎｂから入力音のピッチが下がった場合には、表示部２０ａ〜２０ｌのうち、前回音名Ｎｂに対応する表示部と音名Ｎに対応する表示部との間に位置する表示部の一部または全てが、発光時間差Ｔｄである５０ｍｓ毎に、前回音名Ｎｂに対応する表示部から反時計回り、すなわち、前回音名Ｎｂを基準として、音名が低音側に変化する方向に順次発光される。入力音のピッチが上がった場合も下がった場合も、遷移表示時間Ｔｂである２００ｍｓが経過したときに、音名Ｎに対応する表示部が最終的に発光される。よって、ユーザは、遷移表示の移動方向によって、入力音のピッチ変化の方向を知ることができる。
【００９４】
また、前回音名Ｎｂから音名Ｎまでの音高差が大きい、すなわち、前回音名Ｎｂに対応する表示部と音名Ｎに対応する表示部との間に含まれる表示部の数が多い程、遷移表示の移動速度が速くなるので、ユーザは、遷移表示の移動速度によって、入力音のピッチ変化の大きさを知ることができる。
【００９５】
以上説明した通り、第２実施形態の調律装置１によれば、入力音が、前回音名Ｎｂから音名Ｎに変化した様子を、音名表示部２０において発光する表示部の移動方向によって表わすことができるので、入力音のピッチが変化する様子を、ユーザに、視覚的に分かり易く報せることができる。
【００９６】
また、第２実施形態の調律装置１によれば、Ｓ１１０６において、入力音に対して検出されたピッチの平滑化が行われるので、基準音名の近くでのピッチ揺れを軽減させることができる。ボーカルでは、一定のピッチで歌っている場合であっても、ビブラート揺れの大きさによっては、音名表示器２０の表示が揺れる可能性があるが、上記第２実施形態の構成によれば、そのような表示揺れを抑制できる。
【００９７】
以上、実施形態に基づき本発明を説明したが、本発明は上記形態に何ら限定されるものではなく、本発明の趣旨を逸脱しない範囲内で種々の変形改良が可能であることは容易に推察できるものである。
【００９８】
例えば、上記各実施形態で挙げた数値は一例であり、他の数値を採用することは当然可能である。
【００９９】
上記各実施形態では、音名表示器２０を構成する各表示部２０ａ〜２０ｌを円周状に配置したが、表示部２０ａ〜２０ｌの配置形態は、円周状に限らず、１オクターブ１２個の音名列の両端の音名、例えば音名「Ｃ」と音名「Ｂ」とを隣り合うように配置させた種々の周回状の形態を採用できる。例えば、１２個の表示部２０ａ〜２０ｌを、楕円状や、６角形状や１２角形などの多角形状などに配置させてもよい。また、音名表示器２０は、各表示部２０ａ〜２０ｌが直線状に配列されたものであってもよい。
【０１００】
上記各実施形態では、音名表示器２０の各表示部２０ａ〜２０ｌを、ＬＥＤを光源として発光させる構成としたが、ＬＣＤなどのディスプレイ上に、各表示部２０ａ〜２０ｌに相当する１２個の表示部を円周状に配置させた音名表示部を表示させ、上記実施形態と同様に、各表示部を、基準ピッチと被調律音のピッチとの差分に応じた輝度で発光させる構成としてもよい。かかる構成の場合、１２個の表示部の表示位置を、調や基準音名に合わせて適宜変更できる。
【０１０１】
上記各実施形態では、入力音のピッチ変化に対する輝度の低下又は増加の態様として、図３に示すように直線的な変化を例示したが、カーブを描く変化などであってもよい。
【０１０２】
上記各実施形態では、音名表示部２０における各表示部２０ａ〜２０ｌの明るさを「輝度」の単位で説明したが、明るさを表わす単位として「照度」や「光度」などを用いてもよい。また、上記各実施形態では、輝度１００％を最も明るい輝度（最大輝度）として例示したが、相対的に最も明るい輝度であれば、１００％以外の輝度であっても最も明るい輝度として採用可能である。１００％以外の輝度、例えば、最大輝度を８０％とした場合、ピッチが変動中の入力音を表示する際に、ピッチ変化がなくなり、一定のピッチを持続した直後のみ、入力音のピッチに対応する音名の表示器のみ、または、表示器全体を１００％輝度で表示器を点滅させて、ユーザにピッチが安定したことを伝えるなど、アラーム的な表示をすることなどが、一つの応用例として挙げられる。
【０１０３】
上記第１実施形態では、表示部２０ａ〜２０ｌのうち、混合音を構成する第１音および第２音に対するそれぞれの表示部の発光色を同色（赤色）としたが、互いに異なる色としてもよい。また、第１音および第２音に対するそれぞれの表示部の発光態様を、ＬＥＤの点滅における発光時間や、発光間隔（消光時間の長さ）などによって互いに相違させる構成としてもよい。なお、音名表示器２０が、混合音を構成する各音を表示可能に複数設けた構成としてもよい。ただし、上記第１実施形態のように、１の音名表示器２０に２音の音名を表示できる構成の方が、ユーザが、自身の見るべき音名表示器を認識しやすく、好ましい。
【０１０４】
上記第１実施形態では、混合音を構成する２音の相対的なピッチ差と、平均律音階又は純正律音階に応じた基準音程との関係を報知する形態として、♯表示部２１ａおよび♭表示部２１ｂを有する補助表示器２１を例示したが、種々の報知形態を採用できる。例えば、音声による報知や、ＬＣＤに文字や記号などを表示させる報知などであってもよい。
【０１０５】
上記第１実施形態では、Δｃの値が、Ｘ半音差（Ｘは、０以上の整数）に相当する値を中心とする±５セントの範囲内にある場合には、♯表示部２１ａおよび♭表示部２１ｂの両方を発光させる構成としたが、Δｃの値が、Ｘ半音差に相当する値を中心とするより狭い範囲内にある場合をさらに区別して報知する構成としてもよい。例えば、Δｃの値が、Ｘ半音差に相当する値を中心とする±５セントの範囲より狭い所定の範囲内にある場合、♯表示部２１ａおよび♭表示部２１ｂの両方をさらに別の色で発光させる構成としてもよい。また、♯表示部２１ａおよび♭表示部２１ｂの両方を発光させる、Ｘ半音差に相当する値を中心とするピッチ幅の範囲を、±５セント固定ではなく、ユーザが自分のピッチコントロールの習熟度に応じて可変できるようにしてもよい。例えば、ピッチコントロールが困難な初心者に対してはピッチ判定を緩め、例えば、±１５セントで、♯表示部２１ａおよび♭表示部２１ｂの両方を発光させるようにして、まずは大まかなピッチコントロールができるように練習し、上達してきたら、±５セントにしてより厳しくピッチコントロールを監視するようにする、などとして、段階を追った効率的なピッチコントロールの練習が可能になるようにするとよい。
【０１０６】
上記第１実施形態では、音名決定テーブル１２ａや、補助表示テーブル１２ｂを参照して、入力音の音名や、補助表示器２１の発光態様を決定する構成としたが、これらのテーブル１２ａ，１２ｂを用いることなく、その都度、各音の基準ピッチを演算して求め、得られた基準ピッチに基づいて、入力音の音名や、補助表示器２１の発光態様を決定する構成としてもよい。
【０１０７】
上記第１実施形態では、音名決定テーブル１４ａおよび補助表示テーブル１４ｂとして、平均律および純正律長調による、音名決定テーブルおよび補助表示テーブルが準備されている構成としたが、これに加えて、純正律短調による、音名決定テーブルおよび補助表示テーブルが準備される構成としてもよい。この場合、モード選択操作子３７による選択可能な純正律モードとして、長調を選択するモードと、短調を選択するモードとを設ければよい。
【０１０８】
上記第１実施形態では、検出された２音のピッチ差が、平均律音階または純正律音階に応じた基準音程に対してどの程度合っているかを補助表示器２１に表示させる構成とした。本発明に適用可能な音階（音律）は、上記例示した平均律音階および純正律音階に限られるものではない。純正律音階に換えて、例えば、キルンベルガー音律、ピタゴラス音律、中全音律、ベルグマイスター音律などを適用してもよい。つまり、検出された２音のピッチのうち、一方の音のピッチに対応する音名の基準ピッチを平均律音階によって決定し、他方の音のピッチに対応する音名を、純正律音階に換えて、キルンベルガー音律などの音律に基づいて、他方の音のピッチに最も近い音名として決定する構成としてもよい。なお、特許請求の範囲における「所定の音階」は、第１実施形態において例示した平均律音階および純正律音階に限らず、純正律音階に換えて適用可能な音律（例えば、キルンベルガー音律、ピタゴラス音律、中全音律、ベルグマイスター音律など）を含む。
【０１０９】
上記第２実施形態では、入力音のピッチを検出する間隔（２００ｍｓ）と、遷移表示時間Ｔｂとを等しい時間としたが、これらの時間は異なる時間であってもよい。また、上記実施形態では、発光時間差Ｔｄ＝５０ｍｓ、表示部一つ当たりの発光時間Ｔ＝５０ｍｓ、発光時間差Ｔｄ＝発光時間Ｔとして表示部を発光させる構成としたが、その値は適宜変更可能である。発光時間差Ｔｄと発光時間Ｔとの関係は、上記第２実施形態において例示したＴｄ＝Ｔに限らず、Ｔｄ＜Ｔや、Ｔｄ＞Ｔであってもよい。例えば、音名の遷移表示をより明確にする場合には、発光時間差Ｔｄをより小さくして、遷移表示時間Ｔｂ内に発光させる表示部の数（発光頻度）を増やしたり、発光させる表示部の発光時間Ｔをより長くすればよい。一例として、図１２（ａ）において、発光時間差Ｔｄ＝４０ｍｓとした場合、遷移表示時間Ｔｂ＝２００ｍｓの期間中、前回の音名Ｎｂから音名Ｎまで音名が遷移する間に発光する表示部は、４０ｍｓ（１×Ｔｄ）と、８０ｍｓ（２×Ｔｄ）後、１２０ｍｓ（３×Ｔｄ）後、１６０（４×Ｔｄ）後、２００ｍｓ（５×Ｔｄ）後、の５つの表示部が表示される。つまり、発光時間差Ｔｄ＝４０ｍｓとした場合、上記第２実施形態にて例示した発光時間差Ｔｄ＝５０ｍｓの場合（すなわち、遷移表示時間Ｔｂ＝２００ｍｓの期間中に４つの表示部が表示される場合）に比べ、より発光頻度が多い緻密な遷移表示を行うことができる。また、発光時間Ｔを長くすることによっても、音名の遷移状態を視覚的により明確に表示することが可能である。例えば、発光時間Ｔを、上記第２実施形態にて例示したＴ＝５０ｍｓよりも長い時間（例えば、Ｔ＝６０ｍｓ）にした場合、遷移表示時間Ｔｂ＝２００ｍｓの期間内に表示部が発光した時間の総時間を増やすことができ、それによって、音名の遷移状態を、視覚的により明確に表示できる。さらに、遷移表示時間Ｔｂを長くすることによっても、遷移表示時間Ｔｂ内の発光頻度を増やしたり、発光させる表示部の発光時間Ｔを長くすることができるので、音名の遷移表示をより明確にすることが可能である。
【０１１０】
上記第２実施形態では、音名表示の遷移表示を音名表示器２０において行う構成としたが、当該遷移表示を行う専用の表示器を設ける構成としてもよい。また、上記実施形態では、遷移表示時間Ｔｂ内において、１つずつ表示部を発光させる構成としたが、複数の表示部を同時に発光させる構成としてもよい。
【符号の説明】
【０１１１】
１                調律装置
２０              音名表示器（音名表示手段）
２１              補助表示器（報知手段）
３１              入力手段
３２              ピッチ検出手段
３３              第１音名決定手段
３４              第２音名決定手段
３６              補助表示制御手段（報知制御手段）
【図１】
2014102323.tif 000003
【図２】
2014102323.tif 000004
【図３】
2014102323.tif 000005
【図４】
2014102323.tif 000006
【図５】
2014102323.tif 000007
【図６】
2014102323.tif 000008
【図７】
2014102323.tif 000009
【図８】
2014102323.tif 000010
【図９】
2014102323.tif 000011
【図１０】
2014102323.tif 000012
【図１１】
2014102323.tif 000013
【図１２】
2014102323.tif 000014